(57)【要約】【課題】後から保護アース線を追加する場合でも、ケーブル変更を行なうことなく、保護アース線を設けることのできる画像形成装置を提供する。【解決手段】保護アース追加の必要が発生した局面に置いて、アース線をケーブルの外側に一体化した場合（ステップＳ１）、ケーブル変更無しで保護アース追加可能となる（ステップＳ２）。アース線先端の端子を金属部にネジ止めすることでスキャナ１の保護アースを取るという手法が考え得る。これにより、変更量は小変更で済むことになり、コスト面で有利になる。一方、一体化せずにアース線をケーブルに内蔵させる場合（ステップＳ１／Ｎｏ）、ケーブル及び、接続先コネクタの変更が必要となり、設計変更量が大きくなってしまう（ステップＳ５）。【選択図】図１
2007212892.tif 000002
【特許請求の範囲】
【請求項１】
スキャナと本体が分離されており、前記スキャナと前記本体間の接続はケーブルによってのみ接続されている画像形成装置であって、
前記ケーブルの外側にアース線を一体化する一体化手段と、
前記アース線先端の端子を金属部に止める接続手段と、を備え、
前記スキャナの保護アースを取ることを特徴とする画像形成装置。
【請求項２】
スキャナと本体が分離されており、前記スキャナと前記本体間の接続はケーブルによってのみ接続されている画像形成装置であって、
前記ケーブルの外側に信号線ケーブルを一体化する一体化手段を備え、
前記スキャナの保護アースを取ることを特徴とする画像形成装置。
【請求項３】
スキャナと本体が分離されており、前記スキャナと前記本体間の接続はケーブル及びＡＣケーブルによってのみ接続されている画像形成装置であって、
前記ＡＣケーブルの外側にアース線を一体化する一体化手段を備え、
前記スキャナの保護アースを取ることを特徴とする画像形成装置。
【請求項４】
前記ケーブル、ＡＣケーブルのいずれかと、前記アース線、信号線ケーブルのいずれかを、ブッシングにて束ね、固定する固定手段を備えることを特徴とする請求項１から３のいずれか１項に記載の画像形成装置。
【発明の詳細な説明】
【技術分野】
【０００１】
本発明は、画像形成装置に関し、特にケーブルを有する画像形成装置に関する。
【背景技術】
【０００２】
近年、オフィス等には画像形成装置が普及している。また、複数の情報処理装置と相互接続し、情報処理装置から画像データ等を送り、出力することも頻繁に行われている。その他、機能拡張用オプションが後付けされることも多々ある。画像形成装置外周に機能拡張用オプションを取り付けた場合、機械の設置面積が大きくなり、標準モデルが小さくてもオプション取り付けによって結果的に装置設置面積（占有面積）を大きく取らざるを得なかった。そこで、機能拡張用オプション機器の接続ケーブルによる設置性向上、省スペース化を図る電子機器への機能拡張用オプシヨン取り付け装置およびこれを備えた画像形成装置が提案されている（例えば、特許文献１参照）。これにより、機能拡張用オプション取り付け省スペースを実現することができた。
【特許文献１】特開２００５−２２９０２４号公報
【発明の開示】
【発明が解決しようとする課題】
【０００３】
スキャナ−本体が一体時は、スキャナ−本体間の接続がケーブルによって接続され、スキャナのアースについては本体との接触によって取られている装置において、スキャナと本体を分離する場合、安全規格上の変更、仕様変更等により、後からアース線を追加する必要が生じる場合がある。高圧電源を含むスキャナと画像形成装置本体が分離され、スキャナ−本体間の接続はケーブルによってのみ接続されている画像形成装置の場合、安全規格上、スキャナ−本体間に保護アース線を設ける必要がある。
【０００４】
しかしながら、例えば、アース線を単独で設けるとストレイン・リリーフの安全規格に対応するためにコスト高になってしまうため、通常はケーブルを変更しなければならず、これによりケーブル接続先のコネクタも変更となり、変更量が多岐に渡ってしまうという問題がある。
【０００５】
本発明はこのような状況に鑑みてなされたものであり、ケーブル変更を行なうことなく、保護アース線を設けることのできる画像形成装置を提供することを目的とする。
【課題を解決するための手段】
【０００６】
請求項１記載の発明は、スキャナと本体が分離されており、前記スキャナと前記本体間の接続はケーブルによってのみ接続されている画像形成装置であって、前記ケーブルの外側にアース線を一体化する一体化手段と、前記アース線先端の端子を金属部に止める接続手段と、を備え、前記スキャナの保護アースを取ることを特徴とする画像形成装置である。
【０００７】
請求項２記載の発明は、スキャナと本体が分離されており、前記スキャナと前記本体間の接続はケーブルによってのみ接続されている画像形成装置であって、前記ケーブルの外側に信号線ケーブルを一体化する一体化手段を備え、前記スキャナの保護アースを取ることを特徴とする画像形成装置である。
【０００８】
請求項３記載の発明は、スキャナと本体が分離されており、前記スキャナと前記本体間の接続はケーブル及びＡＣケーブルによってのみ接続されている画像形成装置であって、前記ＡＣケーブルの外側にアース線を一体化する一体化手段を備え、前記スキャナの保護アースを取ることを特徴とする画像形成装置である。
【０００９】
請求項４記載の発明は、請求項１から３のいずれか１項に記載の装置において、前記ケーブル、ＡＣケーブルのいずれかと、前記アース線、信号線ケーブルのいずれかを、ブッシングにて束ね、固定する固定手段を備えることを特徴とする。
【発明の効果】
【００１０】
本発明によれば、後からアース線を追加する必要が生じた場合でも、ケーブル変更を行なうことなく保護アースの機能を追加出来るといった効果を有する。
【発明を実施するための最良の形態】
【００１１】
以下に、本発明の実施形態に係る画像形成装置を、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。
【００１２】
まず、従来の画像形成装置について図６、７、８を用いて説明する。図６は、本実施形態に係る画像形成装置（スキャナと本体が分離した状態、スキャナ分離機）の外観図である。スキャナ１は、複写機本体３から分離した状態となり、スキャナ１と複写機本体３はスキャナケーブル２によってのみ接続されている。電力は電源コード４から得る。スキャナ１と複写機本体３との通信については、スキャナケーブル２を介するシリアル通信信号及び、I/O信号により行ない、スキャナ動作、操作パネルの認識が可能となる。複写機本体３では印刷動作が行われる。
【００１３】
図７は、図６のスキャナ−本体を一体化した場合の画像形成装置の外観図である。スキャナ１と本体３は外部のスキャナケーブル２によって接続され、スキャナ１のアースについては本体３との接触によって取られている。図８は、スキャナ分離機において、スキャナ１が高圧電源（ランプインバータ）を有しているスキャナ分離器の図である。図８のようにスキャナ１が高圧電源を含んでいる場合、スキャナ１を本体３から分離する際は、安全規格上、スキャナ−本体間に保護アース線を設ける必要がある。
【００１４】
以下に本発明の実施形態に係る画像形成装置について図１を用いて説明する。保護アース追加の必要が発生した局面に置いて、アース線をケーブルの外側に一体化した場合（ステップＳ１）、ケーブル変更無しで保護アース追加可能となる（ステップＳ２）。アース線先端の端子を金属部にネジ止めすることでスキャナ１の保護アースを取るという手法が考え得る。これにより、変更量は小変更で済むことになり、コスト面で有利になる。一方、一体化せずにアース線をケーブルに内蔵させる場合（ステップＳ１／Ｎｏ）、ケーブル及び、接続先コネクタの変更が必要となり、設計変更量が大きくなってしまう（ステップＳ５）。
【００１５】
本実施形態により、ケーブルの外側に保護アース線を一体化するため、後からアース線を追加する必要が生じた場合でも、ケーブル変更を行なうことなく、保護アース線を設けることが可能となる。
【００１６】
以下に本発明の実施形態に係る画像形成装置について図２を用いて説明する。図２は、ケーブルとアース線の束ね方を示す図である。ブラケットの仕様に合ったブッシングを使用することで、ケーブルの固定が可能となるが、本実施形態ではケーブルとアース線をまとめて束ねている。
【００１７】
上記実施形態により、アース線追加前のケーブル固定にブッシングを使用していた場合、ケーブルの外側に保護アース線を一体化した時にも同じブッシングを使用することで部品を共有化できる。また、ケーブルと保護アース線を一体化して、ブッシングにて固定することにより、作業性を良くするといった効果を有する。
【００１８】
以下に本発明の実施形態に係る画像形成装置について図３を用いて説明する。信号線追加の必要が発生した局面に置いて、信号線をケーブルの外側に一体化した場合（ステップＳ８）、ケーブル変更無しで信号線追加可能となる（ステップＳ９）。これにより、変更量は小変更で済むことになり、コスト面で有利になる。一方、一体化せずに信号線をケーブルに内蔵させる場合（ステップＳ１１）、ケーブル及び接続先コネクタの変更が必要となり、設計変更量が大きくなってしまう（ステップＳ１２）。
【００１９】
上記実施形態により、仕様上の変更等により後から信号線を追加する必要が生じた場合、ケーブルの外側に追加信号線を一体化することで、ケーブル変更を行なうことなく、追加信号線を設けることが可能となる。
【００２０】
また、上記図２を用いて説明したように、信号線もケーブルと一緒に束ねることが考え得る。これにより、信号線を後から追加する必要が生じた場合でも、追加前のケーブル固定に使用していたブッシングを、ケーブルの外側に追加信号線を一体化した時にも同じブッシングを使用することで部品を共有化できる。また、ケーブルと追加信号線を一体化して、ブッシングにて固定することにより、作業性を良くするといった効果を有する。
【００２１】
以下に本発明の実施形態に係るスキャナ分離機を説明する。図４は、分離したスキャナ１にスキャナ除湿ヒータケーブル９を接続した図である。スキャナ１が複写機本体３から分離された状態では、スキャナ１と複写機本体３はスキャナケーブル２及び、スキャナ除湿ヒータケーブル９によってのみ接続されている。スキャナ１と複写機本体３との通信については、スキャナケーブル２を介するシリアル通信信号及びI/O信号により行なっており、スキャナ１での動作、操作パネルの認識を、複写機本体３側で可能とさせていて、複写機本体３での印刷動作を行なう。またスキャナ１の除湿ヒータへの通電は、複写機本体３の電源からスキャナ除湿ヒータケーブル９を介して行なわれる。
【００２２】
図５のフローチャートを用いて説明する。アース追加の必要が発生した場面に置いて、アース線をＡＣケーブルの外側に一体化した場合（ステップＳ１５／Ｙｅｓ）、ケーブル変更無しでアース線追加可能となる（ステップＳ１６）。これにより、変更量は小変更で済むことになり、コスト面で有利になる（ステップＳ１７）。一方、一体化せずにアース線をＡＣケーブルに内蔵させる場合（ステップＳ１５／Ｎｏ）、ケーブル及び接続先コネクタの変更が必要となり、設計変更量が大きくなってしまう（ステップＳ１９）。
【００２３】
上記実施形態により、後からＡＣケーブル接続先の仕様変更等により、アース線を追加する必要が生じた場合においても、ＡＣケーブルの外側にアース線を一体化することで、ケーブル変更を行なうことなく、アース線を設けることが可能となる。
【００２４】
以上、本発明を好適な実施の形態に基づき具体的に説明したが、本発明は上記のものに限定されるものではなく、その要旨を逸脱しない範囲で種種変更可能であることは言うまでもない。
【図面の簡単な説明】
【００２５】
【図１】本発明の実施形態に係る保護アース一体化手順を示すフローチャートである。
【図２】本発明の実施形態に係るケーブル及びアース線を束ねた様子を示す図である。
【図３】本発明の実施形態に係る信号線一体化手順を示すフローチャートである。
【図４】本発明の実施形態に係るスキャナ分離機の外観図である。
【図５】本発明の実施形態に係るアース線一体化手順を示すフローチャートである。
【図６】従来の画像形成装置（スキャナと本体は分離）の外観図である。
【図７】従来の画像形成装置（スキャナと本体は一体化）の外観図である。
【図８】従来の画像形成装置（スキャナと本体は分離）の外観図である。
【符号の説明】
【００２６】
１    スキャナ
２    スキャナケーブル
３    複写機本体
４    電源コード
５    ブラケット
６    ブッシング
７    ケーブル
８    アース線
９    スキャナ除湿ヒータケーブル
【図１】
2007212892.tif 000003
【図２】
2007212892.tif 000004
【図３】
2007212892.tif 000005
【図４】
2007212892.tif 000006
【図５】
2007212892.tif 000007
【図６】
2007212892.tif 000008
【図７】
2007212892.tif 000009
【図８】
2007212892.tif 000010